(57)【特許請求の範囲】
【請求項１】
半球状頂部を有する透光性のグローブでＬＥＤ光源を覆った電球形ＬＥＤランプであって、開口部を有し、開口部を通して前記半球状頂部に着脱可能かつ密接するように被着した半透明性又は不透明性フードを備え、該フードによって前記グローブを部分的に被覆したことを特徴とする電球形ＬＥＤランプ。
【請求項２】
前記フードを前記半球状頂部に摺動可能に被せたことを特徴とする請求項１に記載の電球形ＬＥＤランプ。
【請求項３】
前記開口部の周縁部に切欠部又はスリットを形成し、該切欠部又はスリットによって開口部を拡開可能に形成したことを特徴とする請求項１に記載の電球形ＬＥＤランプ。
【請求項４】
前記フードに文字又は記号の形状を有する抜き穴を形成したことを特徴とする請求項１に記載の電球形ＬＥＤランプ。
【請求項５】
前記フードの内面に光反射層を形成したことを特徴とする請求項１に記載の電球形ＬＥＤランプ。
【請求項６】
半球状頂部を有する透光性のグローブでＬＥＤ光源を覆った電球形ＬＥＤランプに用いられる電球形ＬＥＤランプ用フードであって、半透明性又は透明性材料から成るとともに、開口部を有し、開口部を通して前記半球状頂部に着脱可能かつ密接するように被着でき、被せたとき前記グローブを部分的に被覆するように形成したことを特徴とする電球形ＬＥＤランプ用フード。
【請求項７】
前記半球状頂部に摺動可能に被せることができるようにしたことを特徴とする請求項６に記載の電球形ＬＥＤランプ用フード。
【請求項８】
前記開口部の周縁部に切欠部又はスリットを形成し、該切欠部又はスリットによって開口部を拡開可能に形成したことを特徴とする請求項６に記載の電球形ＬＥＤランプ用フード。
【請求項９】
前記フードに文字、図形又は記号の形状を有する抜き穴を形成したことを特徴とする請求項６に記載の電球形ＬＥＤランプ用フード。
【請求項１０】
前記フードの内面に光反射層を形成したことを特徴とする請求項６に記載の電球形ＬＥＤランプ用フード。
【発明の詳細な説明】
【技術分野】
【０００１】
本発明は、半球状頂部を有する透光性のグローブでＬＥＤ光源を覆った電球形ＬＥＤランプ及び電球形ＬＥＤランプのグローブに被着するフードに関する。
【背景技術】
【０００２】
近時、消費電力の大きい白熱電球に代えて、消費電力の少ないＬＥＤを光源として用い、ＬＥＤ光源を半球状頂部を有する透光性のグローブで覆って白熱電球の外観に似せた電球形ＬＥＤランプの需要が高まっている。
【先行技術文献】
【特許文献】
【０００３】
【特許文献１】特開２０１１−７０９７２号公報
【特許文献２】特開２０１１−８２１３２号公報
【特許文献３】特開２０１１−９０８２８号公報
【特許文献４】特開２０１１−９１０３３号公報
【発明の概要】
【発明が解決しようとする課題】
【０００４】
一般に、電球形ＬＥＤランプでは乳白色のグローブか、若しくは無色透明のグローブが用いられている。いずれのグローブを用いた電球形ＬＥＤランプも一定光量の白色光を発し、光量や光の色彩を変えることはできない。とりわけ無色透明のグローブを用いた電球形ＬＥＤランプでは、高い指向性を有するＬＥＤ光源から前方の狭い領域に向けて強い光を発するため、照明器具としての用途が限定される。また、グローブは薄いガラス又は合成樹脂でできているため、衝撃に弱く、破損し易い。
【０００５】
本発明は、かかる問題点に鑑み、光量や光の色彩を変えることができ、照明器具としての用途が広く、衝撃に強い電球形ＬＥＤランプ及び電球形ＬＥＤランプ用フードを提供することを目的とする。
【課題を解決するための手段】
【０００６】
請求項１に記載の発明は、半球状頂部を有する透光性のグローブでＬＥＤ光源を覆った電球形ＬＥＤランプであって、開口部を有し、開口部を通して前記半球状頂部に着脱可能かつ密接するように被着した半透明性又は不透明性フードを備え、該フードによって前記グローブを部分的に被覆したことを特徴とする。
【０００７】
請求項２に記載の発明は、請求項１に記載の電球形ＬＥＤランプにおいて、前記フードを前記半球状頂部に摺動可能に被せたことを特徴とする。
【０００８】
請求項３に記載の発明は、請求項１に記載の電球形ＬＥＤランプにおいて、前記開口部の周縁部に切欠部又はスリットを形成し、該切欠部又はスリットによって開口部を拡開可能に形成したことを特徴とする。
【０００９】
請求項４に記載の発明は、請求項１に記載の電球形ＬＥＤランプにおいて、前記フードに文字、図形又は記号の形状を有する抜き穴を形成したことを特徴とする。
【００１０】
請求項５に記載の発明は、請求項１に記載の電球形ＬＥＤランプにおいて、前記フードの内面に光反射層を形成したことを特徴とする。
【００１１】
請求項６に記載の発明は、半球状頂部を有する透光性のグローブでＬＥＤ光源を覆った電球形ＬＥＤランプに用いられる電球形ＬＥＤランプ用フードであって、半透明性又は透明性材料から成るとともに、開口部を有し、開口部を通して前記半球状頂部に着脱可能かつ密接するように被着でき、被せたとき前記グローブを部分的に被覆するように形成したことを特徴とする。
【００１２】
請求項７に記載の発明は、請求項６に記載の電球形ＬＥＤランプ用フードにおいて、前記半球状頂部に摺動可能に被せることができるようにしたことを特徴とする。
【００１３】
請求項８に記載の発明は、請求項６に記載の電球形ＬＥＤランプ用フードにおいて、前記開口部の周縁部に切欠部又はスリットを形成し、該切欠部又はスリットによって開口部を拡開可能に形成したことを特徴とする。
【００１４】
請求項９に記載の発明は、請求項６に記載の電球形ＬＥＤランプ用フードにおいて、前記フードに文字、図形又は記号の形状を有する抜き穴を形成したことを特徴とする。
【００１５】
請求項１０に記載の発明は、請求項６に記載の電球形ＬＥＤランプ用フードにおいて、前記フードの内面に光反射層を形成したことを特徴とする。
【発明の効果】
【００１６】
請求項１又は請求項６の記載に係る発明によれば、グローブの半球状頂部に半透明又は不透明のフードを被せてグローブを部分的に被覆するので、不透明フードによるグローブの被覆部分の面積を変えたり、半透明フードの光透過度を変えることにより、ランプの発光量を調節できるとともに、ＬＥＤ光源から発する光の指向性を弱めることができる。
また、着色した半透明性フードを用いることによりランプの白色光を部分的に色彩光に変えることができる。本発明によれば、このように電球形ＬＥＤランプの明るさや色彩をフードによって変えることができるので、照明器具としての用途を広げることができる。
また、フードによってグローブが保護されるので、グローブの耐衝撃性が向上し、グローブの頂部がホコリや泥で汚れるのを防止できる。さらにまた、フードはグローブに着脱できるので、グローブからフードを取り外して、フードに付着したホコリや泥を除去できる。
【００１７】
請求項２又は請求項７に記載の発明によれば、グローブの半球状頂部に被せたフードの位置をずらすことができるので、フードによるグローブ頂部の被覆領域を変えることができ、被覆領域を変えることによりグローブの発光領域を変えることができる。
【００１８】
請求項３および請求項８に記載の発明によれば、フードの開口部を拡開できるので、グローブの頂部の最大外形寸法より小さな寸法の径を有する開口部を形成したフードをグローブの頂部に被せることができる。従って、フードを頂部に緊密に密着させることができる。
【００１９】
請求項４及び請求項９に記載の発明によれば、ランプ点灯時、フードに文字、図形又は記号が明るく表示される。従って、様々な図形の抜き穴を形成することにより、電球形ＬＥＤランプの照明器具としての装飾性を高めることができる。また、文字や記号の抜き穴をフードに形成することにより、電球形ＬＥＤランプを各種表示灯として使用することも可能となる。
【００２０】
請求項５及び請求項１０に記載の発明によれば、ＬＥＤ光源の光がフードの内面で反射して反頂部側へ投光されるので、例えばダウンライトとして使用するなど、電球形ＬＥＤランプの用途を広げることができる。
【図面の簡単な説明】
【００２１】
【図１】本発明の第１実施例に係る電球形ＬＥＤランプを示す正面図である。
【図２】本発明の第１実施例に係る電球形ＬＥＤランプを示す正面図である。
【図３】本発明の第２実施例に係るフードを示す斜視図である。
【図４】本発明の第３実施例に係るフードを示す斜視図である。
【図５】本発明の第２実施例に係る電球形ＬＥＤランプを示す正面図である。
【図６】本発明の第４実施例に係るフードを示す斜視図である。
【図７】本発明の第３実施例に係る電球形ＬＥＤランプを示す正面図である。
【図８】本発明の第４実施例に係る電球形ＬＥＤランプを示す正面図である。
【図９】本発明の第５実施例に係る電球形ＬＥＤランプを示す正面図である。
【図１０】本発明の第６実施例に係る電球形ＬＥＤランプを示す正面図である。
【図１１】本発明の第７実施例に係る電球形ＬＥＤランプを示す正面図である。
【図１２】本発明の第８実施例に係る電球形ＬＥＤランプを示す正面図である。
【実施例１】
【００２２】
以下に本発明を図面に基づき説明するに、図１には本発明の第１実施例に係る電球形ＬＥＤランプ１０及び電球形ＬＥＤランプ用フード１１が示されている。当該電球形ＬＥＤランプ１０は熱伝導性と放熱性に優れたアルミニウム等の金属材料又はセラミックス材料でできた放熱体１２と、放熱体１２の下端部に取り付けられた、国際規格に則った形状、寸法を有する口金１３と、放熱体１２の上端部に取り付けられた透明又は半透明のガラス製若しくは合成樹脂製のグローブ１４とを備え、グローブ１４によってＬＥＤ素子１５を有する発光モジュール１６が覆われ、放熱体１２の内部にはＬＥＤ素子１５を発光制御する点灯回路が内蔵されている。
【００２３】
グローブ１４は略球形の頭部１４ａと頭部１４ａより径の小さい胴部１４ｂを有し、半球状の頂部１４ｃに半球状の電球形ＬＥＤランプ用フード１１が被せられ、フード１１によってグローブ１４の頭部１４ａの表面積の略半分が覆われている。フード１１は不透明のプラスチック成形品が用いられ、円形の開口部１１ａを有するとともに、開口部１１ａの側縁にＵ字形の切欠部１１ｂが形成されている。この切欠部１１ｂは前後２箇所に形成されている。
【００２４】
図２に示すように、フード１１の円形開口部１１ａの直径ｄはグローブ１４の頂部１４ｃの最大外形寸法Ｄより僅かに小さく設定されている。そして、フードを頂部に被せたとき、フードの最大外形寸法の直径線Ｌ１と円形開口部１１ａの直径線Ｌ２との間隔Ｓ１より切欠部１１ｂの切り込み深さＳ２が大きくなるように切欠部１１ｂの寸法が定められている。フード１１の開口部１１ａには、このように切欠部１１ｂを形成したので、拡開することができる。フード１１の開口部１１ａの直径ｄはグローブ１４の頂部１４ｃの最大外形寸法Ｄより小さいが、開口部１１ａを拡開することによりフード１１を頂部１４ｃに着脱可能に、かつ頂部１４ｃに摺動可能に被着することができる。
【００２５】
本実施例に係る電球形ＬＥＤランプ１０及び電球形ＬＥＤランプ用フード１１の構成は以上の通りであって、グローブ１４の半球状頂部１４ｃに不透明のフード１１を被着してグローブ１４を部分的に被覆するので、フード１１の大きさを変えてグローブ１４における被覆部分の面積を変えることにより、ランプ１０の明るさを調節できる。
【００２６】
フード１１によってグローブ１４が保護されるので、グローブ１４の耐衝撃性が向上し、また、グローブ１４の頂部１４ｃがホコリや泥で汚れるのを防止できる。さらにまた、フード１１はグローブ１４に着脱できるので、グローブ１４からフード１１を取り外して、フード１１に付着したホコリや泥を容易に除去できる。
【００２７】
フード１１をグローブ１４の頂部１４ｃに摺動可能に被着したので、フード１１の位置をずらすことができる。このため、フード１１によるグローブ１４の頂部１４ｃの被覆領域を変えることができ、被覆領域を変えることによりランプ１０の発光方向を変えることができる。
【００２８】
なお、本実施例ではフード１１の材質に不透明のプラスチックを用いたが、半透明のプラスチック材料で形成したフードを用いることにより、ＬＥＤ光源１５の指向性を弱めることができる。また、半透明の着色したプラスチック材料で形成したフードを用いることにより、ランプ１０の白色光を部分的に色彩光に変えることができる。
【００２９】
また、フード１１の材質に適度な伸縮率を有する軟質プラスチックを選定すれば、開口部１１ａの直径ｄがグローブ１４の頂部１４ｃの最大外形寸法Ｄより小さくても、切欠部１１ｂを形成しないで、グローブ１４の頂部１４ｃにフード１１を被せることが可能である。
【実施例２】
【００３０】
本発明の第２実施例に係る電球形ＬＥＤランプ用フード２１を図３に示す。当該フード２１の材質は第１実施例に係るフード１１と同じである。第１実施例に係るフード１１にはＵ字形の切欠部１１ｂが形成されていたが、第２実施例に係るフード２１では、開口部２１ａの側縁にＶ字形の切欠部２１ｂが前後２箇所に形成されている。
【実施例３】
【００３１】
本発明の第３実施例に係る電球形ＬＥＤランプ用フード３１を図４に示す。当該フード３１の材質は第１実施例に係るフード１１と同じであるが、第３実施例に係るフード３１では、開口部３１ａの側縁にスリット３１ｂが前後２箇所に形成されている。
【００３２】
第２実施例に係るフード２１及び第３実施例に係るフード３１によれば、第１実施例に係るフード１１と同じように、フード２１，３１の開口部２１ａ，３１ａの直径がグローブ１４の頂部１４ｃの最大外形寸法より小さくても、開口部２１ａ，３１ａを拡開することによりフード２１，３１を頂部１４ｃに着脱可能に、かつ頂部１４ｃに摺動可能に被着することができる。
【実施例４】
【００３３】
本発明の第２実施例に係る電球形ＬＥＤランプ４０を図５に示す。当該ランプ４０の不透明なプラスチック製フード４１はグローブ１４の略右半分の表面を覆っている。図６に示すように、このフード４１では、グローブ１４の右半分又は左半分の表面に被せることができるように、略Ｕ字形の開口部４１ａが形成されている。
【実施例５】
【００３４】
本発明の第３実施例に係る電球形ＬＥＤランプ５０を図７に示す。当該ランプ５０はフード５１、放熱体５２、口金５３、グローブ５４、発光モジュール５６を備え、グローブ５４は半球状の頂部５４ｃを備えた縦長の円筒形を有する。不透明なプラスチック製フード５１はグローブ５４の頂部５４ｃを覆うとともに、全体としてグローブ５４の表面の略半分を覆うことができるように形成されている。そして、フード５１の長円形開口部５１ａの側縁にＵ字形の切欠部５１ｂが形成されている。
【実施例６】
【００３５】
本発明の第４実施例に係る電球形ＬＥＤランプ６０を図８に示す。当該ランプ６０はフード６１、放熱体６２、口金６３、球状のグローブ６４、発光モジュール６６を備え、フード６１の開口部６１ａの周縁に三角形の切欠部６１ｂが形成され、該切欠部６１ａから発光モジュール６６が露出している。このフード６１の材質にはアルミ箔が用いられている。このランプを点灯すると、フード６１で覆われたグローブ６４の頂部の周囲は暗く、発光モジュール６６が露出しているグローブ６４の基部の周囲は発光モジュール６６からの直射光とアルミ製フード６１の内面で反射した反射光で明るくなり、ランプ６０の上方が暗く、下方が明るい照明効果を得ることができる。
【実施例７】
【００３６】
本発明の第５実施例に係る電球形ＬＥＤランプ７０を図９に示す。当該ランプ７０はフード７１、放熱体７２、口金７３、球状のグローブ７４、発光モジュール７６を備え、グローブ７４の頂部にアルミ箔製のフード７１が被せられている。このフード７１の開口部の周縁に長方形の切欠部７１ｂが多数形成されている。このランプ７０は天井に設けたソケット７７に装着してダウンライトとして使用するに適している。このランプ７０を点灯すると、発光モジュール７６から発せられた光がアルミ箔製フード７１の内面に反射し、天井面７８が照明される。
【実施例８】
【００３７】
本発明の第６実施例に係る電球形ＬＥＤランプ８０を図１０に示す。当該ランプ８０はフード８１、放熱体８２、口金８３、球状のグローブ８４、発光モジュール８６を備えている。フード８１は不透明なプラスチックで成形され、開口部８１ａの側縁にスリット８１ｂが形成され、中央部に矢印の形状をした抜き穴８１ｃが形成されている。このランプ８０は例えば、避難通路を指示する表示灯として使用することができる。また、矢印形状の抜き穴の他、文字や図形の抜き穴を形成することにより、様々な用途の表示灯として利用できる。
【実施例９】
【００３８】
本発明の第７実施例に係る電球形ＬＥＤランプ９０を図１１に示す。当該ランプ９０はフード９１、放熱体９２、口金９３、球状のグローブ９４、発光モジュール９６を備えている。グローブ９１はアクリル又はシリコン等の半透明軟質プラスチックで成形され、グローブ９４の頂部に密着するように被せられている。このフード９１の開口部９１ａの直径はグローブ９４の最大外形寸法と略同じか、又は若干大きく形成されている。また、開口部９１ａの側縁にスリット９１ｂが形成されている。このランプ９０は外灯のランプ傘９７のソケット９８に装着して使用される。
このランプ９０によれば、泥や土ぼこりがフード９１に付着しても、フード９１が軟質プラスチックから成り、開口部９１ａもグローブ９４の最大外形寸法と略同じか、又は若干大きく、かつスリット９１ｂが形成されているので、容易にグローブ９４から取り外すことができる。そして、取り外して水洗いすれば簡単に泥や土ぼこりを除去できる。
【実施例１０】
【００３９】
本発明の第８実施例に係る電球形ＬＥＤランプ１００を図１２に示す。当該ランプ１００はフード１０１、放熱体１０２、口金１０３、球状のグローブ１０４、発光モジュール１０６を備えている。当該ランプ１００では、球状のグローブ１０４の頂部にプラスチック製フード１０１が被せられている。このフード１０１の内面はアルミ蒸着やメッキ処理を施して光反射面に仕上げられている。フード１０１の開口部１０１ａの側縁にはスリット１０１ｂが形成されている。このランプ１００は天井の窪み１０７に設けたソケット１０８に装着し、ダウンライトとして使用される。発光モジュール１０６から発せられた光はフード１０１内面の反射面で反射し、さらに天井の窪み１０７の表面で反射し、室内を照明する。
【符号の説明】
【００４０】
１０，４０，５０，６０，７０，８０，９０，１００…電球形ＬＥＤランプ
１１，２１，３１，４１，５１，６１，７１，８１，９１，１０１…フード
１１ａ，２１ａ，３１ａ，４１ａ，５１ａ，６１ａ，８１ａ，９１ａ，１０１ａ…開口部
１１ｂ，２１ｂ，５１ｂ，６１ｂ，７１ｂ…切欠部
１２，５２，６２，７２，８２，９２，１０２…放熱体
１３，５３，６３，７３，８３，９３，１０３…口金
１５…ＬＥＤ素子
１６，５６，６６，７６，８６，９６，１０６…発光モジュール
３１ｂ，９１ｂ，１０１ｂ…スリット
８１ｃ…抜き穴
【図１】
0005361087.tif 000002
【図２】
0005361087.tif 000003
【図３】
0005361087.tif 000004
【図４】
0005361087.tif 000005
【図５】
0005361087.tif 000006
【図６】
0005361087.tif 000007
【図７】
0005361087.tif 000008
【図８】
0005361087.tif 000009
【図９】
0005361087.tif 000010
【図１０】
0005361087.tif 000011
【図１１】
0005361087.tif 000012
【図１２】
0005361087.tif 000013